(57)【要約】【課題】同一チャンネル且つ信号品質が略同一の受信信号に対する増幅条件を柔軟に使い分けることができる受信機器を提供する。【解決手段】受信機器は、複数のチューナと、出力信号生成部と、を備える。各チューナは、受信信号に基づく所定の周波数帯域の変換信号を出力する。出力信号生成部は、各チューナから出力される変換信号の何れかを選択、又は該変換信号を合成して出力信号とする。また、各チューナは、変換信号生成部と、増幅部と、を有する。変換信号生成部は、受信信号から変換信号を生成する。増幅部は、複数のチューナが同一チャンネルの受信信号を受信した場合に、チューナ間で互いに信号品質が略同一の受信信号が入力されると、受信信号及び該受信信号に対応する変換信号の少なくとも一方の信号をチューナ毎に異なる増幅条件で増幅する。【選択図】図１
2015231148.tif 000002
【特許請求の範囲】
【請求項１】
受信信号に基づく所定の周波数帯域の変換信号を出力する複数のチューナと、
前記チューナの各々から出力される前記変換信号の何れかを選択、又は該変換信号を合成して出力信号とする出力信号生成部と、
を備え、
前記チューナの各々は、前記受信信号から前記変換信号を生成する変換信号生成部と、  前記複数のチューナが同一チャンネルの受信信号を受信した場合に、前記チューナ間で互いに信号品質が略同一の受信信号が入力されると、前記受信信号及び該受信信号に対応する変換信号の少なくとも一方の信号を前記チューナ毎に異なる増幅条件で増幅する増幅部と、を有する受信機器。
【請求項２】
前記増幅部は、前記チューナ間で互いに前記信号品質が略同一の受信信号が入力されると、前記チューナ毎に異なる利得で前記少なくとも一方の信号を増幅する請求項１に記載の受信機器。
【請求項３】
前記チューナ間で互いに前記信号品質が略同一の受信信号が入力されると、前記少なくとも一方の信号を増幅する前記増幅部の応答速度が前記チューナ毎に異なる請求項１または請求項２に記載の受信機器。
【請求項４】
前記増幅部は、前記少なくとも一方の信号の増幅に用いる利得を段階的に変化させ、
前記利得が変化するタイミングが前記チューナ毎に異なる請求項１〜請求項３のいずれかに記載の受信機器。
【請求項５】
複数のチューナにて、受信信号に基づく所定の周波数帯域の変換信号が出力されるステップと、
前記変換信号に基づく出力信号を生成するステップと、
を備え、
前記変換信号が出力されるステップは、前記受信信号から前記変換信号が生成されるステップと、前記複数のチューナが同一チャンネルの受信信号を受信した場合に、前記チューナ間で互いに信号品質が略同一の受信信号が入力されると、前記受信信号及び該受信信号に対応する変換信号の少なくとも一方の信号が前記チューナ毎に異なる増幅条件で増幅されるステップと、を含み、
前記出力信号を生成するステップは、前記変換信号の何れかを選択して前記出力信号とするステップ、又は、該変換信号を合成して前記出力信号とするステップを含む受信方法。
【発明の詳細な説明】
【技術分野】
【０００１】
本発明は、複数のチューナを有する受信機器に関する。
【背景技術】
【０００２】
一般に、カーナビゲーション装置などの移動型の機器では、機器自身の移動、又は電波の発信源の移動により電波の受信環境が変化する。そのため、受信信号のレベルが変動し易く不安定になり易い。従って、移動型の機器に搭載される受信装置では、レベルの変化に追随して受信信号を増幅するＡＧＣ（Automatic Gain Control）を迅速に行う必要がある。
【０００３】
また、移動型の機器ではしばしば、受信経路を選択、又は複数の受信経路から出力される受信信号を合成するダイバーシティ受信装置が搭載される。このダイバーシティ受信装置では、受信信号のレベル変動に迅速に追随して信号品質を向上させることができる。たとえば、特許文献１のダイバーシティ受信装置では、複数の異なるアンテナから受信した受信信号に対して、アンテナの系毎に受信特性を改善するためのＡＧＣパラメータを設定し、各受信信号に個別のＡＧＣを行っている。
【０００４】
一方、テレビジョン装置のような据え置き型の機器では、電波の受信環境が安定しているため、受信信号のレベルは比較的に安定している。そのため、据え置き用の機器に内蔵される受信装置では、受信環境に対して過敏なＡＧＣを行う必要はない。たとえば、強い妨害電波が受信されると、大きなレベルのバーストノイズが受信信号に発生するが、このバーストノイズはフィルタ回路、又はデジタル信号のインターリーブ処理及び誤り訂正処理により抑制又は除去できる。従って、ＡＧＣをバーストノイズに過敏に追随させる必要はない。なお、仮にＡＧＣを過敏に追随させると、受信信号の歪みが大きくなり受信ができなくなるなどの弊害が生じることがある。
【先行技術文献】
【特許文献】
【０００５】
【特許文献１】特許第５３１５６５５号公報
【発明の概要】
【発明が解決しようとする課題】
【０００６】
しかしながら、最近では、無線ＬＡＮなどの無線通信の普及とともに、受信装置を搭載する機器の使用形態が据え置き型及び移動型の何れかに区別できなくなってきている。たとえば、スマートフォン、パーソナルコンピュータ、ポータブルテレビジョン装置のような携帯可能な機器では、機器が移動しながら使用される場合もあるし、移動しないで使用される場合もある。また、従来のテレビジョン装置及びＨＤＤレコーダなどの通常の使用形態は据え置き型であったが、近年では、これらの機器にも無線通信機能が搭載されつつある。そのため、据え置き型の機器でも、移動型の機器との無線通信を行うことがある。従って、機器に搭載される受信装置は、据え置き型及び移動型の両方の使用形態に耐えられるように、上述のような相反するＡＧＣを使用形態に応じて使い分ける必要がある。すなわち、据え置き型の機器のＡＧＣ特性を維持しつつ、時には、移動型の機器のように信号レベルの変動が大きい信号を受信できるようにする必要がある。このような問題に対して、特許文献１は何ら言及していない。
【０００７】
本発明は、このような状況を鑑みてなされたものであり、同一チャンネル且つ信号品質が略同一の受信信号に対する増幅条件を柔軟に使い分けることができる受信機器を提供することを目的とする。
【課題を解決するための手段】
【０００８】
上記目的を達成するために、本発明の一の態様による受信機器は、受信信号に基づく所定の周波数帯域の変換信号を出力する複数のチューナと、チューナの各々から出力される変換信号の何れかを選択、又は該変換信号を合成して出力信号とする出力信号生成部と、を備え、チューナの各々は、受信信号から変換信号を生成する変換信号生成部と、複数のチューナが同一チャンネルの受信信号を受信した場合に、チューナ間で互いに信号品質が略同一の受信信号が入力されると、該受信信号及び該受信信号に対応する変換信号の少なくとも一方の信号をチューナ毎に異なる増幅条件で増幅する増幅部と、を有する構成（第１の構成）とされる。
【０００９】
上記第１の構成によれば、複数のチューナが同一チャンネルの受信信号を受信した場合に、信号品質が略同一の受信信号が複数のチューナのそれぞれに入力されると、該受信信号が所定の周波数帯域の変換信号に変換される。各チューナでは、該受信信号及びその変換信号の少なくとも一方の信号がチューナ毎に異なる増幅条件で増幅される。従って、一部のチューナでは信号レベルの変動に対して迅速に追随して該少なくとも一方の信号を増幅させ、他のチューナでは信号レベルの変動に対して過敏な応答はせずに該少なくとも一方の信号を増幅させることができる。よって、同一チャンネル且つ信号品質が略同一の受信信号及びその変換信号の少なくとも一方の信号に対する増幅条件を柔軟に使い分けることができる。
【００１０】
また、上記第１の構成の受信機器において、増幅部は、チューナ間で互いに信号品質が略同一の受信信号が入力されると、チューナ毎に異なる利得で上述の少なくとも一方の信号を増幅する構成（第２の構成）としてもよい。
【００１１】
この第２の構成によれば、チューナ間で互いに信号品質が略同一の受信信号が入力されると、各チューナの利得が異なる。そのため、各チューナのダイナミックレンジ（すなわち受信可能な受信信号レベルの範囲）も異なる。従って、受信機器のダイナミックレンジをより広くすることができる。よって、受信信号のレベルが大きく変動する受信環境であっても、受信機器は受信信号を受信することができる。さらに、比較的レベルの大きい受信信号の歪み特性を改善することもできる。
【００１２】
また、上記第１又は第２の構成の受信機器において、前記チューナ間で互いに前記信号品質が略同一の受信信号が入力されると、上述の少なくとも一方の信号を増幅する増幅部の応答速度がチューナ毎に異なる構成（第３の構成）としてもよい。
【００１３】
この第３の構成によれば、チューナ間で互いに信号品質が略同一の受信信号が入力されると各チューナで増幅部の応答速度が異なる。そのため、応答速度が速い方のチューナは、頻繁にレベル変動する受信信号に迅速に追随して、信号を増幅することできる。また、応答速度が遅い方のチューナは、レベルが急峻に変動するノイズが受信信号に発生しても過敏に応答しないため、信号を過度に増幅しないようにできる。従って、過度の増幅に伴って生じる問題（たとえば再同期制御）を回避することができる。
【００１４】
また、上記第１〜第３のいずれかの構成の受信機器において、増幅部は、少なくとも一方の信号の増幅に用いる利得を段階的に変化させ、利得が変化するタイミングがチューナ毎に異なる構成（第４の構成）としてもよい。
【００１５】
この第４の構成によれば、利得が段階的に変化するタイミングでは、該利得を用いて増幅される信号に歪みが発生するが、該タイミングはチューナ毎に異なる。従って、各チューナが出力する信号に含まれる歪みを減少させることができる。
【００１６】
上記目的を達成するために、本発明の一の態様による受信方法は、複数のチューナにて、受信信号に基づく所定の周波数帯域の変換信号が出力されるステップと、変換信号に基づく出力信号を生成するステップと、を備え、変換信号が出力されるステップは、受信信号から変換信号が生成されるステップと、複数のチューナが同一チャンネルの受信信号を受信した場合に、チューナ間で互いに互いに信号品質が略同一の受信信号が入力されると、受信信号及び該受信信号に対応する変換信号の少なくとも一方の信号がチューナ毎に異なる増幅条件で増幅されるステップと、を含み、出力信号を生成するステップは、変換信号の何れかを選択して出力信号とするステップ、又は、該変換信号を合成して出力信号とするステップを含む構成（第５の構成）とされる。
【００１７】
上記第５の構成によれば、複数のチューナが同一チャンネルの受信信号を受信した場合に、信号品質が略同一の受信信号が複数のチューナのそれぞれに入力されると、該受信信号が所定の周波数帯域の変換信号に変換される。各チューナでは、該受信信号及びその変換信号の少なくとも一方の信号がチューナ毎に異なる増幅条件で増幅される。従って、一部のチューナでは信号レベルの変動に対して迅速に追随して該少なくとも一方の信号を増幅させ、他のチューナでは信号レベルの変動に対して過敏な応答はせずに該少なくとも一方の信号を増幅させることができる。よって、同一チャンネル且つ信号品質が略同一の受信信号及びその変換信号の少なくとも一方の信号に対する増幅条件を柔軟に使い分けることができる。
【発明の効果】
【００１８】
本発明によれば、同一チャンネル且つ信号品質が略同一の受信信号に対する増幅条件を柔軟に使い分けることができる受信機器を提供することができる。
【図面の簡単な説明】
【００１９】
【図１】スマートフォンの内部構成を示すブロック図である。
【図２】受信ユニットの構成例を示すブロック図である。
【図３】各チューナのダイナミックレンジの一例である。
【図４】受信ユニットの構成の第１変形例を示すブロック図である。
【図５】受信ユニットの構成の第２変形例を示すブロック図である。
【図６】受信ユニットの構成の第３変形例を示すブロック図である。
【図７】受信ユニットの構成の第４変形例を示すブロック図である。
【図８】受信ユニットの構成の第５変形例を示すブロック図である。
【図９】バーストノイズが発生した受信信号に対する各チューナのＡＧＣの動作例である。
【図１０】受信ユニットの構成の第６変形例を示すブロック図である。
【図１１】第６変形例における共通ＡＧＣ信号の電圧値の経時変化を示すグラフである。
【図１２】受信ユニットの構成の第７変形例を示すブロック図である。
【図１３】第７変形例における共通ＡＧＣ信号の電圧値の経時変化を示すグラフである。
【図１４】各チューナでの第１利得制御アンプのゲインの切替例である。
【発明を実施するための形態】
【００２０】
以下に、図面を参照して、本発明の実施形態を説明する。
【００２１】
＜第１実施形態＞
図１は、スマートフォン１００の内部構成を示すブロック図である。図１に示すように、スマートフォン１００は、タッチパネル１０１と、スピーカ１０２と、記憶部１０３と、ＣＰＵ１０４と、ネットワークＩ／Ｆ１０５と、内蔵アンテナＡＴと、無線通信部１０６と、を備えている。このほか、スマートフォン１００は、物理的な操作入力部をさらに備えていてもよい。アンテナＡＴを除くこれらの構成要素はバスラインＢＬを介して互いに接続されている。
【００２２】
タッチパネル１０１は、ユーザが指又はタッチペンなどで表示画面に触れることにより、タッチ入力を行うことができる表示入力部である。このタッチパネル１０１は、ＬＣＤ（liquid Crystal Display）１０１ａと、入力検知部１０１ｂと、を含んで構成されている。ＬＣＤ１０１ａは、ＣＰＵ１０４から出力される制御信号及び映像信号などに基づく表示を行う表示部である。入力検知部１０１ｂは、タッチパネル１０１の表示画面に触れた物体の挙動に基づくユーザ入力を検知する入力インターフェースである。スピーカ１０２は、音声信号に基づく音声出力を行う音声出力部である。
【００２３】
記憶部１０３は、ＲＡＭ（Random Access Memory）１０３ａと、フラッシュメモリ１０３ｂと、を含んで構成される。ＲＡＭ１０３ａは、揮発性の記憶媒体であり、たとえばＣＰＵ１０４のワークメモリとして用いられ、ＣＰＵ１０４によって各種情報処理が行われる際の処理データが一時的に記憶される。フラッシュメモリ１０３ｂは、電源が供給されていなくてもデータが非一時的に記憶される不揮発性の記憶媒体である。フラッシュメモリ１０３ｂは、スマートフォン１００の各構成要素（特にＣＰＵ１０４）で用いられる各種情報及びプログラム、各種アプリケーションプログラム及びその関連データなどを格納する。
【００２４】
ＣＰＵ１０４は、フラッシュメモリ１０３ｂに格納されている情報及びプログラムを用いて、スマートフォン１００の各構成要素を統括的に制御する制御部である。
【００２５】
ネットワークＩ／Ｆ１０５は、スマートフォン１００をインターネットなどのネットワークＮＴに接続する物理インターフェースである。ネットワークＩ／Ｆ１０５は、例えば有線ＬＡＮ、無線ＬＡＮなどに接続可能となっている。
【００２６】
内蔵アンテナＡＴは２つのアンテナＡＴａ、ＡＴｂを含んでいる。各アンテナＡＴａ、ＡＴｂは、受信条件が互いにほぼ同じになるように近接して配置されているが、少なくとも受信する電波（たとえばデジタル放送波）の１波長以上の距離を空けて設置される。
【００２７】
無線通信部１０６は、内蔵アンテナＡＴを介して外部機器と無線通信を行う。また、無線通信部１０６は、後述する第１及び第２チューナ１０ａ、１０ｂを備えるダイバーシティ方式の受信ユニット１を有する。この受信ユニット１は、内蔵アンテナＡＴを介して同じ選局チャンネルの受信信号を第１及び第２チューナ１０ａ、１０ｂで受信する。
【００２８】
次に、受信ユニット１の構成について説明する。図２は、受信ユニット１の構成例を示すブロック図である。図２に示すように、受信ユニット１は、第１チューナ１０ａと、第２チューナ１０ｂと、デモジュレータ３０とを備えている。
【００２９】
第１チューナ１０ａは、第１利得制御アンプ１１ａと、第１バンドパスフィルタ１２ａと、ミキサ１３ａと、局部発振器１４ａと、第２バンドパスフィルタ１５ａと、第２利得制御アンプ１６ａと、電気抵抗Ｒ１及びＲ２と、を含んで構成されている。第１チューナ１０ａはアンテナＡＴａで受信した放送波に基づく受信信号を取得する。第１チューナ１０ａに入力された受信信号は、第１利得制御アンプ１１ａにより増幅され、第１バンドパスフィルタ１２ａによって受信周波数帯域の信号成分が抽出される。たとえば、デジタルテレビジョン放送を受信している場合には、選局したデジタルテレビジョン放送に割り当てられた周波数帯域の信号成分が抽出される。次に、ミキサ１３ａは、第１バンドパスフィルタ１２ａの出力信号に所定周波数の局部発振信号を乗算して中間周波数信号（変換信号）に周波数変換する。なお、以下では、中間周波数信号をＩＦ信号と呼ぶ。このＩＦ信号は、第２バンドパスフィルタ１５ａにてＩＦ信号の周波数帯域内の信号成分が抽出され、第２利得制御アンプ１６ａにより増幅される。その後、ＩＦ信号は、デモジュレータ３０に出力される。
【００３０】
また、第２チューナ１０ｂは、アンテナＡＴｂが受信した放送波から、第１チューナ１０ａと同じ選局チャンネルの受信信号を取得する。なお、第２チューナ１０ｂの構成は、電気抵抗Ｒ１及びＲ２を有しないこと以外は第１チューナ１０ａとほぼ同様であるため、その説明は割愛する。
【００３１】
なお、第１及び第２チューナ１０ａ、１０ｂの第１利得制御アンプ１１ａ、１１ｂ及び第２利得制御アンプ１６ａ、１６ｂのゲインは、デモジュレータ３０から出力される共通ＡＧＣ信号に基づいて調整される。但し、第１チューナ１０ａの第１利得制御アンプ１１ａに入力される共通ＡＧＣ信号の伝送線には電気抵抗Ｒ１及びＲ２が接続されている。電気抵抗Ｒ１は、第１利得制御アンプ１１ａに入力される共通ＡＧＣ信号の伝送線において第１利得制御アンプ１１ａの前段に直列接続されている。また、電気抵抗Ｒ２の一端は第１利得制御アンプ１１ａと電気抵抗Ｒ１との間に接続されており、他端は接地されている。そのため、第１利得制御アンプ１１ａに入力される共通ＡＧＣ信号の電圧値Ｖａは、デモジュレータ３０から出力される共通ＡＧＣ信号の電圧値Ｖｂが変化すると、電気抵抗Ｒ１及びＲ２で構成される抵抗分圧回路によって次の数式１のように変化する。
Ｖａ＝Ｖｂ・Ｒ２／（Ｒ１＋Ｒ２）      （数式１）
従って、第１利得制御アンプ１１ａには、電圧降下した共通ＡＧＣ信号が入力される。よって、第１チューナ１０ａの第１利得制御アンプ１１ａのゲインは第２チューナ１０ｂの第１利得制御アンプ１１ｂのゲインよりも低くなる。
【００３２】
このようにすると、第１及び第２チューナ１０ａ、１０ｂのゲインが異なるため、第１及び第２チューナ１０ａ、１０ｂのダイナミックレンジ（すなわち受信可能な受信信号レベルの範囲）も異なる。従って、受信ユニット１のダイナミックレンジをより広くすることができる。よって、受信信号のレベルが大きく変動する受信環境であっても、受信ユニット１は受信信号を受信することができる。さらに、比較的レベルの大きい受信信号の歪み特性を改善することもできる。
【００３３】
デモジュレータ３０は、第１及び第２Ａ／Ｄ変換部３１ａ、３１ｂと、ダイバーシティ合成部３２と、を有する。第１チューナ１０ａから出力されるアナログのＩＦ信号は、第１Ａ／Ｄ変換部３１ａによりデジタルＩＦ信号に変換され、ダイバーシティ合成部３２に出力される。第２チューナ１０ｂから出力されるアナログのＩＦ信号も同様である。ダイバーシティ合成部３２は、第１及び第２Ａ／Ｄ変換部３１ａ、３１ｂから出力されるデジタルＩＦ信号に所定処理及び復調処理を行い、該復調信号を出力する。たとえば、ダイバーシティ合成部３２は、第１及び第２Ａ／Ｄ変換部３１ａ、３１ｂから出力されるデジタルＩＦ信号のうち、よりノイズ成分の少ないデジタルＩＦ信号を選択し、該デジタルＩＦ信号を復調する。或いは、ダイバーシティ合成部３２は、第１及び第２Ａ／Ｄ変換部３１ａ、３１ｂから出力されるデジタルＩＦ信号を合成し、その合成信号を復調して出力する。たとえば、よりノイズ成分の少ないデジタルＩＦ信号をより高い比率で他のデジタルＩＦ信号と合成する。
【００３４】
また、ダイバーシティ合成部３２は、第１及び第２チューナ１０ａ、１０ｂのＡＧＣ（Automatic Gain Control：自動利得制御）を行う。具体的には、ダイバーシティ合成部３２は、第１及び第２チューナ１０ａ、１０ｂのダイナミックレンジを調整するために、第１及び第２Ａ／Ｄ変換部３１ａ、３１ｂから出力されるデジタルＩＦ信号に基づいて共通ＡＧＣ信号を生成する。そして、ダイバーシティ合成部３２は、第１及び第２チューナ１０ａ、１０ｂの第１利得制御アンプ１１ａ、１１ｂ及び第２利得制御アンプ１６ａ、１６ｂに共通ＡＧＣ信号を出力し、それらのゲインを調整する。
【００３５】
ここで、前述したように第１チューナ１０ａの第１利得制御アンプ１１ａには、電気抵抗Ｒ１及びＲ２で構成される分圧抵抗回路により電圧降下した共通ＡＧＣ信号が入力される。そのため、第１利得制御アンプ１１ａのゲインは第２チューナ１０ｂの第１利得制御アンプ１１ａのゲインとは異なる。従って、同じ選局チャンネルで信号品質が略同一（ほぼ同じ受信条件）の受信信号を受信しても、第１及び第２チューナ１０ａ、１０ｂのダイナミックレンジもそれぞれ異なる。
【００３６】
図３は、各チューナ１０ａ、１０ｂのダイナミックレンジの一例である。第１チューナ１０ａのゲインは第２チューナ１０ｂよりも低い。そのため、第１チューナ１０ａのダイナミックレンジは、図３に示すように、第２チューナ１０ｂよりも高い入力信号レベルにシフトする。従って、受信信号のレベルが急激に変化して第１及び第２チューナ１０ａ、１０ｂのうちの一方のダイナミックレンジから外れたとしても他方のダイナミックレンジ内にあれば、該受信信号を高いＳＮ比で感度良く受信することができる。すなわち、受信ユニット１のダイナミックレンジをより広くすることができる。よって、受信信号のレベルが大きく変動する受信環境であっても、受信ユニット１は受信信号を受信することができる。さらに、比較的レベルの大きい受信信号の歪み特性を改善することもできる。従って、信号品質が向上する。
【００３７】
なお、図２では、第１チューナ１０ａにおいて、ミキサ１３ａで乗算処理される前の受信信号の増幅率を変化させているが、本発明はこの例示に限定されない。ミキサ１３ａで乗算処理された後のＩＦ信号の増幅率を変化させてもよい。たとえば、図２において、第２利得制御アンプ１６ａに入力される共通ＡＧＣ信号の伝送線にも分圧抵抗回路を接続してもよい。このようにすれば、第１及び第２チューナ１０ａ、１０ｂの各ダイナミックレンジをより大きくシフトさせたり、そのシフト量を精度良く設定したりできる。
【００３８】
また、ミキサ１３ａで乗算処理される前の受信信号の増幅率を変化させず、ＩＦ信号の増幅率を変化させることもできる。通常、チューナのＮＦ（Noise Figure：雑音指数）は入力側でのゲインが支配的である。そのため、乗算処理される前の受信信号の増幅率を変化させることが望ましい。しかしながら、出力側に近いＩＦ信号の増幅率を変化させても、程度は落ちるが、同様の効果を得ることはできる。
【００３９】
以上、第１実施形態について説明した。上述のスマートフォン１００に搭載される受信ユニット１によれば、第１及び第２チューナ１０ａ、１０ｂが同じ選局チャンネルの受信信号を受信した場合に、信号品質が略同一の受信信号が第１及び第２チューナ１０ａ、１０ｂのそれぞれに入力されると、該受信信号が所定の周波数帯域のＩＦ信号に変換される。各チューナ１０ａ、１０ｂでは、受信信号及びそのＩＦ信号の少なくとも一方の信号がチューナ毎に異なる増幅条件で増幅される。従って、第２チューナ１０ｂでは信号レベルの変動に対して迅速に追随して該少なくとも一方の信号を増幅させ、第１チューナ１０ａでは信号レベルの変動に対して過敏な応答はせずに該少なくとも一方の信号を増幅させることができる。よって、同じ選局チャンネル且つ信号品質が略同一の受信信号及びそのＩＦ信号の少なくとも一方の信号に対する増幅条件を柔軟に使い分けることができる。
【００４０】
次に、本実施形態の変形例について説明する。なお、以下の変形例では、第１実施形態及び他の変形例と同様の構成要素には同じ符号を付し、その説明を省略する。
【００４１】
＜第１実施形態の第１変形例＞
図４は、受信ユニット１の構成の第１変形例を示すブロック図である。図４に示すように、第１変形例では、第１チューナ１０ａが、第１利得制御アンプ１１ａ、第１バンドパスフィルタ１２ａ、ミキサ１３ａ、局部発振器１４ａ、第２バンドパスフィルタ１５ａ、及び第２利得制御アンプ１６ａのほかに、アンプ１７ａを有する。なお、第２チューナ１０ｂの構成は、アンプ１７ａを有しないこと以外は第１チューナ１０ａとほぼ同様であるため、その説明は割愛する。
【００４２】
アンブ１７ａは、アンテナＡＴａと第１利得制御アンプ１１ａとの間に接続され、第１利得制御アンプ１１ａに入力される受信信号を増幅する。このようにすると、第１チューナ１０ａのダイナミックレンジは第２チューナ１０ｂよりも低い入力信号レベルにシフトする。従って、受信ユニット１のダイナミックレンジが広くなるため、信号品質が向上する。
【００４３】
なお、図４では、アンプ１７ａは、第１利得制御アンプ１１ａの前段に接続されているが、後段（すなわち、第１利得制御アンプ１１ａとミキサ１３ａとの間）に接続されてもよい。また、アンプ１７ａ（増幅器）に代えて、アッテネータ（減衰器）を接続してもよい。アッテネータを接続する場合、第１チューナ１０ａのダイナミックレンジは、第２チューナ１０ｂよりも高い入力信号レベルにシフトする。従って、受信ユニット１の高信号レベル側のダイナミックレンジが広くなるため、信号品質の向上も期待できる。
【００４４】
＜第１実施形態の第２変形例＞
図５は、受信ユニット１の構成の第２変形例を示すブロック図である。図５に示すように、第２変形例では、第１チューナ１０ａが、第１利得制御アンプ１１ａ、第１バンドパスフィルタ１２ａ、ミキサ１３ａ、局部発振器１４ａ、第２バンドパスフィルタ１５ａ、及び第２利得制御アンプ１６ａのほかに、第１及び第２検波器１８ａ、１９ａを有する。なお、第２チューナ１０ｂの構成は第１チューナ１０ａとほぼ同様であるため、その説明は割愛する。
【００４５】
第１検波器１８ａは第１利得制御アンプ１１ａから出力される受信信号を広帯域に検波し、たとえば、受信信号の選局周波数帯域（地上デジタル放送波の周波数帯域である４７３［ＭＨｚ］〜７６７［ＭＨｚ］など）を検波する。また、第２検波器１９ａはミキサ１３ａから出力されるＩＦ信号を狭帯域に検波し、たとえば、地上デジタル放送波の１チャンネル帯域幅（６［ＭＨｚ］など）を検波する。そして、第１及び第２検波器１８ａ、１９ａはそれぞれ検波結果を示す検波信号をダイバーシティ合成部３２に出力する。
【００４６】
ダイバーシティ合成部３２は、第１及び第２チューナ１０ａ、１０ｂの第１及び第２検波器１８ａ、１９ａ、１８ｂ、１９ｂからそれぞれ出力される検波信号、及びデモジュレータ３０内で検知した信号のレベルに基づいて、信号品質の向上に適したゲイン配分を計算する。そして、ダイバーシティ合成部３２は、該計算結果に基づいて、第１及び第２チューナ１０ａ、１０ｂの第１利得制御アンプ１１ａ、１１ｂ及び第２利得制御アンプ１６ａ、１６ｂのそれぞれに独立したＡＧＣを行う。
【００４７】
この際、ダイバーシティ合成部３２は、第１及び第２チューナ１０ａ、１０ｂの各ダイナミックレンジが異なるようなＡＧＣを行う。たとえば、ダイバーシティ合成部３２は、ＡＧＣにより、第１利得制御アンプ１１ａのゲインを少なくとも第１利得制御アンプ１１ｂのゲインよりも大きく又は小さくする。さらに、ダイバーシティ合成部は、ＡＧＣにより、第２利得制御アンプ１６ａのゲインを少なくとも第２利得制御アンプ１６ｂのゲインよりも大きく又は小さくしてもよい。このようにしても、受信ユニット１のダイナミックレンジが広くなるため、信号品質が向上する。
【００４８】
＜第１実施形態の第３変形例＞
図６は、受信ユニット１の構成の第３変形例を示すブロック図である。図６に示すように、第３変形例では、第１チューナ１０ａが、第１利得制御アンプ１１ａ、第１バンドパスフィルタ１２ａ、ミキサ１３ａ、局部発振器１４ａ、第２バンドパスフィルタ１５ａ、第２利得制御アンプ１６ａ、及び検波器１９ａのほかに、ＡＧＣコントローラ２０ａを有する。なお、第２チューナ１０ｂの構成は第１チューナ１０ａとほぼ同様であるため、その説明は割愛する。
【００４９】
ＡＧＣコントローラ２０ａは、検波器１９ａから出力される検波信号、及びデモジュレータ３０から出力されるＡＧＣ信号に基づいて、第１及び第２利得制御アンプ１１ａ、１６ａのそれぞれに独立したＡＧＣを行う。
【００５０】
ダイバーシティ合成部３２は、第１及び第２チューナ１０ａ、１０ｂの各ダイナミックレンジが異なるようなＡＧＣをＡＧＣコントローラ２０ａに行わせる。たとえば、ダイバーシティ合成部３２は、第１及び第２チューナ１０ａ、１０ｂの各ＡＧＣコントローラ２０ａ、２０ｂに対して、チューナ１０ａ、１０ｂ毎に異なるゲイン調整を指示するＡＧＣ信号を少なくとも第１利得制御アンプ１１ａに出力させる。このようにしても、受信ユニット１のダイナミックレンジが広くなるため、信号品質が向上する。
【００５１】
＜第１実施形態の第４変形例＞
図７は、受信ユニット１の構成の第４変形例を示すブロック図である。図７に示すように、第４変形例では、第１チューナ１０ａが、第１利得制御アンプ１１ａ、第１バンドパスフィルタ１２ａ、ミキサ１３ａ、局部発振器１４ａ、検波器１９ａ、第２バンドパスフィルタ１５ａ、第２利得制御アンプ１６ａ、及びＡＧＣコントローラ２０ａのほかに、ＬＮＡ（Low Noise Amplifier：低雑音増幅器）２１ａ及びスイッチ２２ａを有する。なお、第２チューナ１０ｂの構成は第１チューナ１０ａとほぼ同様であるため、その説明は割愛する。
【００５２】
ＬＮＡ２１ａは、アンテナＡＴａと第１利得制御アンプ１１ａとの間に接続され、第１利得制御アンプ１１ａに入力される受信信号を増幅する。このように、第１利得制御アンプ１１ａの前段にＬＮＡ２１ａを接続すると、受信信号のＳＮＲを向上させることができる。スイッチ２２ａは、ＬＮＡ２１ａのバイパス経路のＯＮ／ＯＦＦを切り替える切替装置である。
【００５３】
ＡＧＣコントローラ２０ａは、検波器１９ａから出力される検波信号及び／又はデモジュレータ３０からのＡＧＣ信号に基づいて、スイッチ２２ａのＯＮ／ＯＦＦ制御をさらに行う。たとえば、第１チューナ１０ａのダイナミックレンジをより高い入力信号レベルにシフトさせる場合には、ＡＧＣコントローラ２０ａは、スイッチ２２ａをＯＮにして、ＬＮＡ２１で増幅される受信信号のゲインを低くする。一方、第１チューナ１０ａのダイナミックレンジをより低い入力信号レベルにシフトさせる場合には、ＡＧＣコントローラ２０ａは、スイッチ２２ａをＯＦＦにして、ＬＮＡ２１ａで増幅される受信信号のゲインを高くする。なお、スイッチ２２ａのＯＮ／ＯＦＦ制御は、図７の例示に限定されず、ＡＧＣコントローラ２０ａを経由しない制御信号によって、デモジュレータ３０により直接制御されてもよい。
【００５４】
ダイバーシティ合成部３２は、第１及び第２チューナ１０ａ、１０ｂの各ＡＧＣコントローラ２０ａ、２０ｂに対して、第１及び第２チューナ１０ａ、１０ｂの各ダイナミックレンジが異なるようなＡＧＣを行わせる。たとえば、第１チューナ１０ａのスイッチ２２ａをＯＮ且つ第２チューナ１０ｂのスイッチ２２をＯＦＦにさせる。そして、第１チューナ１０ａのダイナミックレンジをより高い入力信号レベルにシフトさせ、第２チューナ１０ｂのダイナミックレンジをより低い入力信号レベルにシフトさせる。こうすれば、受信ユニット１のダイナミックレンジがより広くなるため、信号品質がより向上する。
【００５５】
＜第１実施形態の第５変形例＞
図８は、受信ユニット１の構成の第５変形例を示すブロック図である。図８に示すように、第５変形例では、受信ユニット１は、２つのチューナ１０ａ、１０ｂ及びデモジュレータ３０のほかに、ディバイダ４０を備えている。ディバイダ４０は、アンテナの受信信号を振り分けて第１及び第２チューナ１０ａ、１０ｂに出力する分配器である。そのため、第１及び第２チューナ１０ａ、１０ｂには、同じ条件で受信した同じ受信信号が入力される。
【００５６】
こうすれば、各ＡＧＣコントローラ２０ａ、２０ｂに第１及び第２チューナ１０ａ、１０ｂの各ダイナミックレンジが異なるようなＡＧＣを行わせることにより、同一の受信信号に対して異なるＡＧＣを行うことができる。
【００５７】
＜第２実施形態＞
次に、第２実施形態について説明する。第２実施形態では、第１及び第２チューナ１０ａ、１０ｂのＡＧＣが異なる時定数で行われる。それ以外は、第１実施形態の第１〜第５変形例と同様である。以下では、第１実施形態の第１〜第５変形例と異なる構成について説明する。また、第１実施形態の第１〜第５変形例と同様の構成部には同じ符号を付し、その説明を省略する。
【００５８】
第２実施形態では、たとえば図４〜図８などの構成において、ＡＧＣの応答速度がそれぞれ異なるように、第１及び第２チューナ１０ａ、１０ｂに異なる時定数が設定される。なお、第１及び第２チューナ１０ａ、１０ｂのダイナミックレンジは、図４〜図８の構成では少なくとも一部が異なっているが、本実施形態では少なくとも一部が異なっていてもよいし異なっていなくてもよい。
【００５９】
たとえば、第１チューナ１０ａの時定数を第２チューナ１０ｂの時定数よりも小さくして、第１チューナ１０ａのＡＧＣの応答速度を第２チューナ１０ｂのＡＧＣの応答速度よりも速くする。そして、受信信号のレベルが頻繁に変動する場合、ＡＧＣの応答速度の速い第１チューナ１０ａで受信信号を取得する。また、受信信号に急峻なレベル変動をするノイズが発生する場合、ＡＧＣの応答速度の遅い第２チューナ１０ｂで受信信号を取得する。こうすれば、据え置き型の受信特性及び移動型の受信特性という相反する特性を兼ね備えることができる。また、どちらの場合にも、受信信号のＳＮＲ（Signal to Noise Ratio）の低下を抑えることが出来る。
【００６０】
こうすれば、信号レベルが頻繁に変動する場合、及びレベルが急峻に変動するノイズが受信信号に発生した場合の両方に対して、最適なＡＧＣを行うことができる。たとえば、受信信号のレベルが頻繁に変動する場合、ＡＧＣの応答速度が速い第１チューナ１０ａのＩＦ信号が選択される。第１チューナ１０ａでは第２チューナ１０ｂよりも信号レベルの変化に迅速に追随して信号を増幅するため、第１チューナ１０ａにおける出力信号のレベル変動は第２チューナ１０ｂの受信信号よりも小さくなって安定する。
【００６１】
また、レベルが急峻に変動するノイズが受信信号に発生した場合には、ＡＧＣの応答速度が遅い第２チューナ１０ｂのＩＦ信号が採用される。図９は、バーストノイズＮが発生した受信信号に対する各チューナのＡＧＣの動作例である。図９に示すように、バーストノイズＮが発生しても、受信信号Ｍの信号レベルはほぼ安定しているが、第１及び第２チューナ１０ａ、１０ｂでは、バーストノイズＮの影響を抑制又は排除するためのＡＧＣにより、ゲインが変動する。但し、受信周波数帯域外のバーストノイズＮは、たとえばバンドパスフィルタ１２ａ、１２ｂなどで除去できる。また、受信周波数帯域内のバーストノイズＮであっても、そのパルス幅が狭ければ、インターリーブ処理及び誤り訂正処理などを用いてその影響を抑制又は排除できる。そのため、バーストノイズＮの影響を抑制又は排除するために、ＡＧＣを過敏に追随させる必要はない。
【００６２】
また、ＡＧＣを追随させてゲインが大きく変動すると、受信信号の信号波形が歪み、同期が外れて再同期制御の必要が生じるなどの問題が生じて回復に時間がかかる。そのため、ＳＮＲが悪くなり、エラー動作が起こりやすくなる。従って、ＡＧＣを過敏に追随させることは好ましくない。よって、この場合、第１チューナ１０ａよりもＡＧＣの応答速度が遅い第２チューナ１０ｂのＩＦ信号を採用する。
【００６３】
なお、上述の説明では、第１及び第２チューナ１０ａ、１０ｂのいずれか一方のＩＦ信号が採用されているが、この例示に限定されず、受信ユニット１の用途に応じて、各ＩＦ信号が合成された合成信号が採用されてもよい。たとえば、信号レベルが頻繁に変動する環境下で安定した受信特性を重視する場合には第１チューナ１０ａから出力されるＩＦ信号をより高い比率で第２チューナ１０ｂのＩＦ信号と合成してもよい。或いは、バーストノイズＮのような急峻なノイズに対する応答性を重視する場合には第２チューナ１０ｂから出力されるＩＦ信号をより高い比率で第１チューナ１０ａのＩＦ信号を合成してもよい。
【００６４】
以上、第２実施形態によれば、第１及び第２チューナ１０ａ、１０ｂ間で互いに信号品質が略同一の受信信号が入力されると、各チューナ１０ａ、１０ｂでＡＧＣの応答速度が異なる。そのため、応答速度が速い方の第１チューナ１０ａは、頻繁にレベル変動する受信信号に迅速に追随して、受信信号及びＩＦ信号の少なくとも一方の信号を増幅することできる。また、応答速度が遅い方の第２チューナ１０ｂは、レベルが急峻に変動するバーストノイズＮが受信信号に発生しても過敏に応答しない。そのため、受信信号及びＩＦ信号の少なくとも一方の信号を過度に増幅しないようにできる。従って、過度の増幅に伴って生じる問題（たとえば再同期制御）を回避することができる。
【００６５】
次に、本実施形態の変形例について説明する。
【００６６】
＜第２実施形態の第１変形例＞
図１０は、受信ユニット１の構成の第６変形例を示すブロック図である。図１０に示すように、第６変形例の受信ユニット１は、第１チューナ１０ａが電気抵抗Ｒ２に代えてコンデンサＣを有する点で、図２の構成と異なる。図１０に示すように、コンデンサＣの一端は第１利得制御アンプ１１ａと電気抵抗Ｒ１との間に接続されており、他端は接地されている。なお、第２チューナ１０ｂの構成は、電気抵抗Ｒ１及びコンデンサＣを有しないこと以外は第１チューナ１０ａとほぼ同様であるため、その説明は割愛する。
【００６７】
図１１は、第６変形例における共通ＡＧＣ信号の電圧値の経時変化を示すグラフである。図１１において、実線はデモジュレータ３０から出力される共通ＡＧＣ信号の電圧値Ｖｂの経時変化を示し、破線は第１利得制御アンプ１１ａに入力される共通ＡＧＣ信号の電圧値Ｖａの経時変化を示す。図１１に示すように、電圧値Ｖａは、電圧値Ｖｂが変化すると、電気抵抗Ｒ１及びコンデンサＣで構成される合成回路によって次の数式２のように変化する。
Ｖａ＝Ｖｂ・｛１−ｅ−ｔ／（Ｒ１・Ｃ））          （数式２）
従って、電圧値Ｖａの時定数は電圧Ｖｂの時定数よりも大きくなるので、第１チューナ１０ａの第１利得制御アンプ１１ａのゲインは第１利得制御アンプ１１ｂのゲインよりも遅れて調節される。よって、第１チューナ１０ａの時定数は第２チューナ１０ｂの時定数よりも大きくなる。すなわち、第１及び第２チューナ１０ａ、１０ｂのＡＧＣが異なる時定数で行われる。
【００６８】
＜第２実施形態の第２変形例＞
図１２は、受信ユニット１の構成の第７変形例を示すブロック図である。図１２に示すように、第７変形例の受信ユニット１は、第１チューナ１０ａが電気抵抗Ｒ１及びＲ２のそれぞれと並列接続されるコンデンサＣをさらに有する点で、図２の構成と異なる。図１２に示すように、コンデンサＣの一端は第１利得制御アンプ１１ａと電気抵抗Ｒ１との間に接続されており、他端は接地されている。なお、第２チューナ１０ｂの構成は、電気抵抗Ｒ１、Ｒ２及びコンデンサＣを有しないこと以外は第１チューナ１０ａとほぼ同様であるため、その説明は割愛する。
【００６９】
図１３は、第７変形例における共通ＡＧＣ信号の電圧値の経時変化を示すグラフである。図１３において、実線はデモジュレータ３０から出力される共通ＡＧＣ信号の電圧値Ｖｂの経時変化を示し、破線は第１利得制御アンプ１１ａに入力される共通ＡＧＣ信号の電圧値Ｖａの経時変化を示す。図１３に示すように、電圧値Ｖａは、電圧値Ｖｂが変化すると、電気抵抗Ｒ１、Ｒ２及びコンデンサＣで構成される合成回路によって次の数式３のように変化する。
Ｖａ＝Ｖｂ・｛１−ｅ−ｔ・（Ｒ１＋Ｒ２）／（Ｒ１・Ｒ２・Ｃ））・Ｒ２／（Ｒ１＋Ｒ２）
（数式３）
従って、電圧値Ｖａの時定数は電圧Ｖｂの時定数よりも大きくなるので、第１チューナ１０ａの第１利得制御アンプ１１ａのゲインは、他のアンプ１６ａ、１１ｂ、１６ｂのゲインよりも遅れて調節される。よって、第１チューナ１０ａの時定数は第２チューナ１０ｂの時定数よりも大きくなる。さらに、電圧値Ｖａは（特に定常状態においても）電圧Ｖｂよりも小さくなるので、第１利得制御アンプ１１ａのゲインは、第１利得制御アンプ１１ｂのゲインよりも低くなる。よって、第１チューナ１０ａのゲインは第２チューナ１０ｂのゲインよりも低くなる。すなわち、第１及び第２チューナ１０ａ、１０ｂのＡＧＣが異なる時定数及び異なるゲインで行われる。
【００７０】
＜第３実施形態＞
次に、第３実施形態について説明する。最近のＳｉ−Ｔｕｎｅｒ  ＩＣなどにおいてはしばしば、各チューナ１０ａ、１０ｂにおいて、受信信号及びＩＦ信号を増幅（又は減衰）する際のゲインの一部がステップ状に切り替えられる。第３実施形態では、各チューナ１０ａ、１０ｂにおいて、ゲインが切り替えられるタイミングをチューナ１０ａ、１０ｂ毎に異なるようにしている。これ以外は、第１実施形態の第１〜第５変形例と同様である。以下では、第１実施形態の第１〜第５変形例及び第２実施形態と異なる構成について説明する。また、第１実施形態の第１〜第５変形例及び第２実施形態と同様の構成部には同じ符号を付し、その説明を省略する。
【００７１】
たとえば、図４〜図７のような構成において、第１及び第２チューナ１０ａ、１０ｂの受信信号を増幅する際のゲインは信号レベルに対してステップ状に切り替えられるが、ゲインが切り替わる際、受信信号には、信号レベルの変化に応じた歪みが発生する。
【００７２】
そのため、本実施形態では、第１チューナ１０ａで調整されるゲインは、第２チューナ１０ｂで調整されるゲインとは異なるタイミングで切り替えられる。図１４は、各チューナ１０ａ、１０ｂでの第１利得制御アンプ１１ａのゲインの切替例である。図１４に示すように、第１チューナ１０ａの第１利得制御アンプ１１ａでゲインを切り替える信号レベルは、第２チューナ１０ｂの第１利得制御アンプ１１ｂでゲインを切り替える信号レベルとは異なっている。そのため、第１利得制御アンプ１１ａ、１１ｂのゲインが同じタイミングで切り替えられる頻度は非常に少なくなる。従って、両者を同じタイミングで切り替える場合よりも歪みの発生を少なくすることができる。
【００７３】
なお、図１４では、第１利得制御アンプ１１ａ、１１ｂでの切替例を示したが、本発明はこの例示に限定されない。第１チューナ１０ａの構成要素の少なくともいずれかでのゲイン切替のタイミングと、第２チューナ１０ｂの構成要素の少なくともいずれかでのゲイン切替のタイミングとが重複していなければよい。
【００７４】
また、図１４では、各ゲインの切替パターンがほぼ同じになっているが、本発明はこの例示に限定されない。ゲイン切替のタイミング（たとえば切替が行われる信号レベル）が重複しなければ、異なる切替パターンであってもよい。たとえば、各チューナ１０ａ、１０ｂ毎に、ゲイン切替のステップ数を変化させてもよい。或いは、１ステップ当たりのゲインの変化量を増減させてもよい。こうすれば、第１利得制御アンプ１１ａ、１１ｂのゲインが同じタイミングで切り替えられる頻度はさらに少なくなる。従って、両者を同じタイミングで切り替える場合よりも歪みの発生を少なくすることができる。
【００７５】
以上のように、ゲインが段階的に変化するタイミングでは、該ゲインを用いて増幅される信号に歪みが発生するが、本実施形態では、そのタイミングは各チューナ１０ａ、１０ｂ毎に異なる。従って、各チューナ１０ａ、１０ｂが出力するＩＦ信号に含まれる歪みを減少させることができる。
【００７６】
以上、本発明の実施形態について説明した。なお、上述の実施形態は例示であり、その各構成要素や各処理の組み合わせに色々な変形が可能であり、本発明の範囲にあることは当業者に理解されるところである。
【００７７】
たとえば、上述の第１実施形態及びその第１〜第５変形例、第２実施形態及びその第１〜第２変形例、第３実施形態は、いずれも構成及び作用が矛盾しない範囲内で組み合わせることが可能である。
【００７８】
また、上述の第１実施形態及びその第１〜第５変形例、第２実施形態及びその第１〜第２変形例、第３実施形態では、受信ユニット１が２つのチューナ１０ａ、１０ｂを有する構成を例に挙げて説明したが、チューナの数は、特に限定されず、複数であればよい。
【００７９】
また、上述の第１実施形態及びその第１〜第５変形例、第２実施形態及びその第１〜第２変形例、第３実施形態では、受信信号をＩＦ信号に変換するＬｏｗ−ＩＦ方式の受信ユニット１を例に挙げて説明したが、本発明の適用範囲はこの例示に限定されない。本発明は、受信信号をベースバンド信号に変換するダイレクトコンバージョン方式（所謂Ｚｅｒｏ−ＩＦ方式）の受信ユニットにも適用可能である。
【００８０】
また、上述の第１実施形態及びその第１〜第５変形例、第２実施形態及びその第１〜第２変形例、第３実施形態では、スマートフォン１００に搭載される受信ユニット１を例に挙げて説明したが、本発明の適用範囲はこの例示に限定されない。本発明は、パーソナルコンピュータなどの情報端末機器、テレビジョン装置などのＡＶ機器などに適用することができる。特に、据え置き型及び移動型の双方の使用形態で用いられる機器に有効である。
【符号の説明】
【００８１】
１００          スマートフォン
１０１            タッチパネル
１０１ａ            ＬＣＤ
１０１ｂ            入力検知部
１０２            スピーカ
１０３            記憶部
１０３ａ            ＲＡＭ
１０３ｂ            フラッシュメモリ
１０４            ＣＰＵ
１０５            ネットワークＩ／Ｆ
１０６            無線通信部
１                  受信ユニット
１０ａ                第１チューナ
１０ｂ                第２チューナ
１１ａ、１１ｂ        第１利得制御アンプ
１２ａ、１２ｂ        第１バンドパスフィルタ
１３ａ、１３ｂ        ミキサ
１４ａ、１４ｂ        局部発振器
１５ａ、１５ｂ        第２バンドパスフィルタ
１６ａ、１６ｂ        第２利得制御アンプ
１７ａ                アンプ
１８ａ、１８ｂ        第１検波器
１９ａ、１９ｂ        第２検波器
２０ａ、２０ｂ        ＡＧＣコントローラ
２１ａ、２１ｂ        ＬＮＡ
２２ａ、２２ｂ        スイッチ
３０                デモジュレータ
３１ａ                第１Ａ／Ｄ変換部
３１ｂ                第２Ａ／Ｄ変換部
３２                  ダイバーシティ合成部
４０                ディバイダ
ＡＴ              内蔵アンテナ
ＢＬ              バスライン
Ｒ１、Ｒ２          電気抵抗
Ｃ                  コンデンサ
【図１】
2015231148.tif 000003
【図２】
2015231148.tif 000004
【図３】
2015231148.tif 000005
【図４】
2015231148.tif 000006
【図５】
2015231148.tif 000007
【図６】
2015231148.tif 000008
【図７】
2015231148.tif 000009
【図８】
2015231148.tif 000010
【図９】
2015231148.tif 000011
【図１０】
2015231148.tif 000012
【図１１】
2015231148.tif 000013
【図１２】
2015231148.tif 000014
【図１３】
2015231148.tif 000015
【図１４】
2015231148.tif 000016